(57)【特許請求の範囲】
【請求項１】
筐体前面に形成された払出口を経て、その前方に配設された受皿にメダルを払い出す遊技機のメダル払出装置において、
メダル貯留用のホッパータンクから供給される前記メダルが嵌挿される複数の嵌挿孔が、その中心軸周りに形成され、ホッパーモータにより回転されるディスクと、
平板状の樹脂製のベース部と、前記ベース部に形成された前記ディスクを収納する円形凹部と、前記ベース部の周縁の一部が切欠かれて形成された切欠部とを有するホッパーベースと、
前記切欠部に着脱自在に装着されて、前記メダルを前記払出口に向けてガイドするガイド通路を形成する導電部材からなるガイド部と、
前記ガイド部に設けられ、前記ディスクの回転により前記凹部の底面上を移動する前記嵌挿孔内の前記メダルを前記切欠部側に誘導する誘導部と、
前記ガイド部に組み込まれ、前記誘導部により誘導される前記メダルを前記払出口に向けて弾き出すメダルキッカとを備え、
前記ガイド部、前記誘導部および前記メダルキッカがユニット化されている
ことを特徴とするメダル払出装置。
【請求項２】
前記ガイド部は、
前記ホッパーベースへの取り付け用の平板状の取付板と、
前記取付板に積層され前記ガイド通路の通路面を形成する平板状のアース板と、
前記アース板に積層され前記誘導部により誘導された前記メダルが前記ガイド通路を通過するように案内する平板状のリード板とを備えることを特徴とする請求項１に記載のメダル払出装置。
【発明の詳細な説明】
【技術分野】
【０００１】
本発明は、ホッパータンクに貯留されたメダルを所定の払出口に排出する遊技機のメダル払出装置に関し、特に、装置内で帯電したメダルの除電を可能にしたメダル払出装置に関する。
【背景技術】
【０００２】
従来より、所定のメダル払い出し条件の成立の下、ホッパータンクに貯留された多数のメダルの中から、所定枚数のメダルを遊技機の払出口へ排出するメダル払出装置が知られている。この種の装置は、メダル貯留用のホッパータンク、ディスク、該ディスクを配設するホッパーベースなどを備え、ホッパータンク内のメダルがディスクの各嵌挿孔に嵌挿することで、メダルが１枚ずつに分離され、ディスクの回転により、各嵌挿孔内のメダルが移動して、遊技機の払出口に繋がるメダル払出装置内の排出口に誘導される。近年では、装置の軽量化・低コスト化を目的として、これらの部材が樹脂製で形成される場合があり、このような場合には、メダルが樹脂製の各部材と擦れて静電気が帯電する。そうすると、帯電したメダルが、メダル払出装置の排出口の近傍に配設されたメダルの枚数を計測するメダルカウンタを通過する際に放電してメダルカウンタを誤動作させたり、払い出されたメダルに触れた遊技者などに放電したりするという問題があった。
【０００３】
そこで、従来では、メダル払出装置内で帯電したメダルを、装置の排出口から排出するまでの間に除電が可能なメダル払出装置が提案されている（例えば、特許文献１参照）。
このメダル払出装置のホッパーベースには、ディスク配設用の円形凹部が形成されるとともに、ホッパーベースにおける当該円形凹部の外側の所定の端縁部に凹部が形成され、該凹部により、ガイドピンにより嵌挿孔内からディスクの外周方向に誘導されたメダルの払出通路および遊技機の払出口に繋がる排出口が形成される。また、ホッパーベース上には、ガイドピンによりディスクの外周方向に誘導されたメダルを、ホッパーベースに形成された払出通路に導くためのガイド部材が配設される。また、ディスクの下面と対向するホッパーベースの円形凹部の底面における、嵌挿孔内のメダルの底面が接触する部分、および、払出通路の通路面の一部に、接地された導電部材が設けられ、さらに、嵌挿孔内からディスクの外周方向に誘導されたメダルが接触するガイド部材も導電部材で形成されている。このようにすることで、メダルがホッパーベースの排出口に移動するまでに、樹脂製のホッパータンク、ディスク、ホッパーベースなどに擦れて帯電したメダルが、導電部材と接触したときに除電されるため、メダルカウンタの誤動作や遊技者への放電を防止することができる。
【先行技術文献】
【特許文献】
【０００４】
【特許文献１】特開２０１１−１８１０６６号公報（段落００２８〜００３４、図１等参照）
【発明の概要】
【発明が解決しようとする課題】
【０００５】
しかしながら、特許文献１に記載のメダル払出装置では、メダルの排出経路において、上記した導電部材以外の部分は樹脂であり、この樹脂部分では帯電したメダルを除電することができないことに加え、一度除電したメダルを、再度、帯電させる場合もある。また、ガイド部材がメダルを払出通路に導く際、メダルの周側面のみがガイド部材に接した状態で払出通路に導かれるため、メダルのガイド部材と接触する部分が少なく、例えば、メダルの周側面が汚れていた場合には、帯電したメダルをガイド部材により除電することができない。また、払出通路に設けられた導電部材に関しても、当該払出通路の通路面の一部にしか設けられていないため、帯電したメダルを確実に除電することができない場合がある。
【０００６】
また、ホッパーベースに形成された払出通路の近傍には、上記したガイドピンや、ガイドピンにより嵌挿孔内からディスクの外周方向に誘導されたメダルを遊技機の払出口に向けて弾き出すメダルキッカが配設されるが、払出通路、ガイドピンおよびメダルキッカは、メダルと頻繁に接触するため、摩耗や不具合が発生して部品交換や調整が必要になる場合があり、このような場合に、その作業を容易に行いたいという要請もある。
【０００７】
本発明は、上記課題に鑑みてなされたものであり、帯電したメダルを確実に除電することができるとともに、部品の交換・調整作業を容易に行うことができるメダル払出装置を提供することを目的とする。
【課題を解決するための手段】
【０００８】
上記目的を達成するために、本発明にかかるメダル払出装置は、筐体前面に形成された払出口を経て、その前方に配設された受皿にメダルを払い出す遊技機のメダル払出装置において、メダル貯留用のホッパータンクから供給される前記メダルが嵌挿される複数の嵌挿孔が、その中心軸周りに形成され、ホッパーモータにより回転されるディスクと、平板状の樹脂製のベース部と、前記ベース部に形成された前記ディスクを収納する円形凹部と、前記ベース部の周縁の一部が切欠かれて形成された切欠部とを有するホッパーベースと、前記切欠部に着脱自在に装着されて、前記メダルを前記払出口に向けてガイドするガイド通路を形成する導電部材からなるガイド部と、前記ガイド部に設けられ、前記ディスクの回転により前記凹部の底面上を移動する前記嵌挿孔内の前記メダルを前記切欠部側に誘導する誘導部と、前記ガイド部に組み込まれ、前記誘導部により誘導される前記メダルを前記払出口に向けて弾き出すメダルキッカとを備え、前記ガイド部、前記誘導部および前記メダルキッカがユニット化されていることを特徴としている（請求項１）。
【０００９】
また、前記ガイド部は、前記ホッパーベースへの取り付け用の平板状の取付板と、前記取付板に積層され前記ガイド通路の通路面を形成する平板状のアース板と、前記アース板に積層され前記誘導部により誘導された前記メダルが前記ガイド通路を通過するように案内する平板状のリード板とを備えることを特徴としている（請求項２）。
【発明の効果】
【００１０】
請求項１に係る発明によれば、メダル払出装置のホッパーベースは、平板状の樹脂製のベース部と、該ベース部に形成されたディスクを収納する円形凹部と、ベース部の周縁の一部が切欠かれて形成された切欠部とを有し、メダルを遊技機の筐体前面に形成された払出口に向けてガイドするガイド通路を形成する導電部材からなるガイド部が、ホッパーベースの切欠部に装着される。このように構成すると、ガイド通路全体が導電部材で構成されることになり、メダルキッカにより弾き出されたメダルが、ガイド通路内のどの経路を摺動しようとも、その経路の摺動中に絶えず導電部材に接した状態になるため、帯電したメダルを確実に除電することができる。また、ホッパーベースとガイド部とを別構成とすることで、ガイド通路全体を容易に導電部材で構成することができる。
【００１１】
また、メダルキッカがガイド部に組み込まれるとともに、誘導部がガイド部に設けられて、ガイド部がホッパーベースの切欠部に着脱自在に装着されるようにユニット化されているため、メダルと頻繁に接触するガイド通路、ガイドピンおよびメダルキッカに摩耗や不具合が発生しても、ガイド部をホッパーベースから外すだけで、部品交換や調整を行うことができる。
【００１２】
請求項２に係る発明によれば、ガイド部が、それぞれ平板状の取付板、アース板およびリード板を積層することにより形成されるため、ガイド通路を形成するガイド部を容易に形成することができる。
【図面の簡単な説明】
【００１３】
【図１】本発明にかかるメダル払出装置の分解斜視図である。
【図２】図１のホッパーユニットの上面図である。
【図３】ガイド部を装着した状態のホッパーベースの斜視図である。
【図４】ホッパーベースとガイド部とを分離した状態の斜視図である。
【図５】ガイド部の分解斜視図である。
【図６】図２におけるＡ−Ａ矢視断面図である。
【図７】ガイド部を装着した状態のホッパーベースの下面図である。
【発明を実施するための形態】
【００１４】
本発明の一実施形態にかかるメダル払出装置１について、図１〜図７を参照して説明する。なお、図１はメダル払出装置１の分解斜視図、図２はホッパー本体部２の上面図、図３はガイド部材７を装着した状態のホッパーベース５の斜視図、図４はホッパーベース５とガイド部７とを分離した状態の斜視図、図５はガイド部材７の分解斜視図、図６は図２におけるＡ−Ａ矢視断面図、図７はガイド部を装着した状態のホッパーベース５の下面図である。なお、以下の説明に関し、前後左右並びに上下方向を図１に示す矢印により規定する。また、図４において、アース線２５を図示省略している。
【００１５】
（全体構成）
このメダル払出装置１は、図１に示すように、ホッパー本体部２と、ホッパー本体部２の上部に装着されるメダル貯留用のホッパータンク３とを備え、例えば、遊技機の一例であるスロットマシンの筐体内部に配設され、ホッパータンク３に貯留されたメダルＭを１枚ずつ、スロットマシンの筐体前面に形成された払出口（図示せず）を経て、同じく筐体前面下部に配設された受皿（図示せず）に払い出す装置である。
【００１６】
ホッパータンク３は、スロットマシンのメダル投入口（図示せず）から投入されたメダルＭをメダル払出装置１内に貯留するためのものであり、上部開口３ａと下部開口３ｂとを有し、メダル投入口から投入されたメダルＭが上部開口３ａから供給され、貯留したメダルＭを下部開口３ｂからホッパー本体部２に供給する。
【００１７】
ホッパー本体部２は、架台４と、架台４の上面に右下がりに傾斜した状態で取り付けられたホッパーベース５と、架台４内に収容されたホッパーモータの回転軸８周りに回転可能に配設され、ホッパータンク３内のメダルＭが嵌挿される複数の嵌挿孔６ａが形成されたディスク６と、ホッパーベース５に装着され、メダルＭをスロットマシンの払出口に向けてガイドするガイド通路９を形成するガイド部７と、ディスク６の嵌挿孔６ａ内のメダルＭをガイド部７側に誘導するガイドピン１０（本発明の誘導部に相当）と、付勢部材（図示せず）により付勢され、ガイドピン１０によりガイド部７側に誘導されるメダルＭを、ガイド通路９に摺動させつつ遊技機の払出口に向けて弾き出すメダルキッカ１１とを備えている。
【００１８】
ホッパーベース５は、平板状の樹脂製のベース部５ａと、該ベース部５ａの上面に形成されたディスク６を収納する円形凹部５ｂと、ベース部５ａの周縁の一部が円形凹部５ｂに達するまで切欠かれて形成された切欠部５ｃとを有する。このとき、円形凹部５ｂの底面５ｂ１には、２つのガイドピン用挿通孔５ｄが形成されている。また、円形凹部５ｂの底面の中央にベース側挿通孔５ｅが形成されており、ホッパーモータの回転軸８が、当該挿通孔５ｅに挿通する（図４等参照）。
【００１９】
ディスク６は、ホッパーモータの回転軸８周りに回転自在に構成された円形の板状体であり、その表面にメダルＭを落とし込むことが可能な大きさの円形の嵌挿孔６ａが複数個（この実施形態では６個）回転軸８を中心として同一半径上に一定間隔で透設されている。また、各嵌挿孔６ａには、各々、ホッパーベース５の円形凹部５ｂの底面５ｂ１との対向側の外周端部に切欠（図示せず）が設けられており、嵌挿孔６ａ内のメダルＭが当該切欠を通って、嵌挿孔６ａから離脱可能に構成されている。また、ディスク６の中心には、ホッパーモータの回転軸８とほぼ同径で回転軸８を挿通させるためのディスク側挿通孔６ｂが形成されており、ホッパーモータの回転軸８をディスク側挿通孔６ｂに挿通させることで、ディスク６がホッパーモータの回転軸８に回転可能に軸支される。なお、この実施形態におけるディスク６は樹脂で形成されている。
【００２０】
ガイド部７は、切欠部５ｃに嵌合するようにホッパーベース５に装着され、上記したように、メダルＭをスロットマシンの払出口に向けてガイドするガイド通路９を形成する。なお、ガイド部７については、後で詳述する。
【００２１】
このように構成されたホッパー本体部２では、ディスク６が図２中時計回り方向に回転すると、嵌挿孔６ａに嵌挿されたメダルＭは、円形凹部５ｂの底面５ｂ１に接した状態で回転方向に移動する。このとき、メダルＭの回転移動経路上には、メダルＭの移動方向を規制する２つのガイドピン１０が突設されており、嵌挿孔６ａ内に嵌挿された状態でディスク６の回転に伴い移動するメダルＭがガイドピン１０に当接すると、ディスク６の嵌挿孔６ａに設けられた切欠を通ってガイド通路９側に誘導されて、メダルキッカ１１に当接する。そして、当該メダルＭがメダルキッカ１１の付勢部材の付勢力に逆らいながらガイド通路９を通過し、メダルキッカ１１を通過し終えると完全に嵌挿孔６ａから離脱する。その結果、メダルキッカ１１が付勢部材の付勢力により元の位置に勢いよく復帰し、このメダルキッカ１１によりメダルＭはガイド部７のガイド通路９を通って、ガイド通路９の終端に連通したスロットマシンの払出口に向けて弾き出されることになる。このとき、図３に示すように、ホッパーベース５の円形凹部５ｂの底面５ｂ１とガイド部７のガイド通路９の通路面９ａとが同一平面上に配置されており、メダルＭが円形凹部５ｂの底面１とガイド通路９の通路面９ａの境界を越える際、底面５ｂ１と通路面９ａとの段差により引っかかることがなく、ガイド通路９を通過するメダルＭが、当該通路面９ａを摺動してスロットマシンの払出口に向けて排出される。
【００２２】
（ガイド部の構成）
次に、ホッパーベース５の切欠部５ｃに装着されるガイド部７について、図４および図５を参照して説明する。
【００２３】
ガイド部７は、それぞれステンレス、アルミ、鉄などの導電部材で形成された、最下部に配置されるホッパーベース５への取り付け用の平板状の取付板７ａと、その下面が取付板７ａの上面に当接するように配置される平板状の第１アース板７ｂと、その下面が第１アース板７ｂの上面に当接するように配置され、ガイド部７がホッパーベース５に装着された状態でガイド通路９の通路面９ａを形成する平板状の第２アース板７ｃと、その下面が第２アース板７ｃの上面に当接するように配置され、ガイドピン１０によりガイド部７側に誘導されたメダルＭがガイド通路９を通過するように案内する平板状のリード板７ｄとを備えている。このとき、取付板７ａおよび第１、第２アース板７ｂ，７ｃそれぞれには、左右方向に１列に配列された４つの貫通孔２０ａ〜２０ｃが設けられている。また、リード板７ｄには、左右方向に交互に配列された２つの貫通孔２０ｄと２つの有底孔２１ｄとが設けられている。また、リード板７ｄの下面には、両有底孔２１ｄに対応する位置に２つの嵌合凸部２２ｄが設けられている。なお、ガイド部７の第１アース板７ｂと第２アース板７ｃとで構成されている部分が本発明のアース板に相当する。
【００２４】
また、各板７ａ〜７ｄは、図６に示すように２つのネジ２３で固定されている。具体的には、１つのねじ２３（紙面左側）は、各板７ａ〜７ｄそれぞれの左右方向に１列に配列された４つ（リード板７ｄは２つ）の貫通孔２０ａ〜２０ｄのうち、それぞれ左から数えて１番目の貫通孔２０ａ〜２０ｄに螺合し、もう１つのねじ２３（紙面右側）は、それぞれ左から数えて３番目の貫通孔２０ａ〜２０ｄに螺合することで、各板７ａ〜７ｄが固定される。また、リード板７ｄの両嵌合凸部２２ｄは、第２アース板７ｃのねじ２３との螺合しない残りの貫通孔２０ｃに嵌合している。このように各板７ａ〜７ｄを固定することで、取付板７ａの上面と第１アース板７ｂの下面とが当接し、第１アース板７ｂの上面と第２アース板７ｃの下面とが当接し、第２アース板７ｃの上面とリード板７ｄの下面とが当接して、各板７ａ〜７ｄが層状構造をなす。
【００２５】
ところで、リード板７ｄは、ガイドピン１０によりガイド部７側に誘導されたメダルＭがガイド通路９を通過するように案内する機能を担っており、メダルＭと頻繁に接触するため、リード板７ｄがガイド部７内でずれることが考えられる。そこで、この実施形態では、リード板７ｄを、ガイド部７内で２つのねじ２３により固定するのに加えて、リード板７ｄの両嵌合凸部２２ｄを第２アース板７ｃの貫通孔２０ｃに嵌合させて第２アース板７ｃに固定することで、リード板７ｄがメダルＭと接触しても、リード板７ｄがガイド部７内でずれるのを防止することができるように構成されている。なお、第１アース板７ｂは、第２アース板７ｃの上面、すなわち、ガイド通路９の通路面９ａとホッパーベース５の円形凹部５ｂの底面５ｂ１とが同一平面上に配置されるようにするための調整板であり、第２アース板７ｃの厚みを第１アース板７ｂの厚み分だけ厚く形成することにより省略可能である。
【００２６】
また、ガイド部７に、メダルキッカ１１が組み込まれるとともに、両ガイドピン１０が設けられ、ガイド部７、メダルキッカ１１および両ガイドピン１０がユニット化されている。具体的には、図５および図７に示すように、メダルキッカ１１は、支軸１１ａと、揺動板１１ｃと、その一端が揺動板１１ｃに固定された揺動軸１１ｂとを備え、揺動軸１１ｂが支軸１１ａを中心に所定の揺動範囲内で揺動可能に構成されている。このとき、揺動軸１１ｂが取付板７ａに設けられたキッカ用挿通孔２７に挿通するように、揺動板１１ｃを取付板７ａの下面側に配置した状態で、支軸１１ａとなるねじにより取付板７ａに揺動板１１ｃを固定することで、揺動軸１１ｂが支軸１１ａを中心として揺動可能に固定される。また、両ガイドピン１０それぞれの一端は金属製のばね板３０に固定されており、両ガイドピン１０を取付板７ａに設けられたガイドピン用挿通孔２８に挿通させた状態で、ばね板３０を取付板７ａの下面側からねじ２９により固定することで、両ガイドピン１０が上方に付勢された状態でガイド部７に組み込まれる。なお、メダルキッカ１１の支軸１１ａ、揺動軸１１ｂおよび揺動板１１ｃ並びに両ガイドピン１０それぞれは金属などの導電部材で形成されている。
【００２７】
そして、図４に示すように、ガイド部７、ガイドピン１０およびメダルキッカ１１がユニット化されたものが、ホッパーベース５の切欠部５ｃに嵌合するように配置され、取付板７ａの下面側から複数のねじ２６などによりホッパーベース５に固定されることで、当該ユニット化されたものがホッパーベース５の切欠部５ｃに着脱自在に装着される。このとき、両ガイドピン１０がホッパーベース５の円形凹部５ｂの底面５ｂ１に形成されたガイドピン用挿通孔５ｄに挿通し、両ガイドピン１０の先端が若干円形凹部５ｂの底面５ｂ１から突出した状態で配設されることになる。
【００２８】
次に、帯電したメダルＭの除電方法について説明すると、上記したように、ガイド部７の各板７ａ〜７ｄが導電部材で形成されるとともに、両ガイドピン１０およびばね板３０それぞれも導電部材で形成されているため、ガイド部７および両ガイドピン１０が相互に導通する。このとき、図５に示すように、取付板７ａの下面には、ねじ２４でアース線２５が固定されており、このアース線２５が、ホッパー本体部２の接地されたアース金具（図示せず）に接続されている。したがって、帯電したメダルＭがガイド通路９を通過する際に、ガイドピン１０、リード板７ｄ、第２アース板７ｃなどに接触すると、電子がアース線２５を伝ってアース金具に流れ、帯電したメダルＭが除電されることになる。
【００２９】
したがって、上記した実施形態によれば、メダル払出装置１のホッパーベース５は、平板状の樹脂製のベース部５ａと、該ベース部５ａに形成されたディスク６を収納する円形凹部５ｂと、ベース部５ａの周縁の一部が切欠かれて形成された切欠部５ｃとを有し、メダルＭを遊技機の筐体前面に形成された払出口に向けてガイドするガイド通路９を形成する導電部材からなるガイド部７が、ホッパーベース５の切欠部５ｃに装着される。このように構成すると、ガイド通路９全体が導電部材で構成されることになり、ガイドピン１０によりガイド部７側に誘導されたディスク６の嵌挿孔６ａ内のメダルＭが、ガイド通路９内のどの経路を通過しようとも、その経路の通過中に絶えず導電部材に接した状態になるため、帯電したメダルを確実に除電することができる。また、ホッパーベース５とガイド部７とを別構成とすることで、ガイド通路９全体を容易に導電部材で構成することができる。
【００３０】
また、ガイド通路９の通路面９ａと、ホッパーベース５のベース部５ａに形成されたディスク６を収納する円形凹部５ｂの底面５ｂ１とが同一平面上に配置されるため、当該円形凹部５ｂの底面５ｂ１上を移動するディスク６の嵌挿孔６ａ内のメダルＭが、ガイドピン１０により切欠部５ｃ側、つまり、ガイド部５ｃ側に誘導される際、そのメダルＭが、円形凹部５ｂの底面５ｂ１とガイド通路９の通路面９ａの境界でひっかかるという問題が生じず、スムーズに遊技機の筐体に形成された払出口に向けて払い出すことができる。また、メダルＭの下面とガイド通路９の通路面９ａとが確実に接した状態で、メダルＭをガイド通路９に摺動させることができる。したがって、例えば、メダルＭがガイド通路９を摺動中に、メダルＭの周側面のみが汚れていて、当該周側面と接するリード板７ｄでは除電することができない場合であっても、メダルＭの下面が第２アース板７ｃに接することで、メダルＭを確実に除電することができる。
【００３１】
また、ホッパーベース５にガイド部７を装着するだけで、帯電したメダルＭの除電を行うことができるため、導電部材をホッパーベース上に数か所に分けて配置する従来のメダル払出装置と比較して、導電部材の取り付け工数の削減を図ることができる。
【００３２】
また、メダルキッカ１１がガイド部７に組み込まれるとともに、両ガイドピン１０がガイド部７に設けられて、ガイド部７がホッパーベース５の切欠部５ｃに着脱自在に装着されるようにユニット化されているため、メダルＭと頻繁に接触するガイド通路９、ガイドピン１０およびメダルキッカ１１に摩耗や不具合が発生しても、ガイド部７が装着されたホッパーベース５を架台４から取り外したのち、ガイド部７をホッパーベース５から外すだけで、部品交換や調整が行うことができる。
【００３３】
また、ガイド部７が、それぞれ平板状の取付板７ａ、第１アース板７ｂ、第２アース板７ｃおよびリード板７ｄが積層されることにより形成されるため、ガイド通路９を形成するガイド部７を容易に形成することができる。
【００３４】
なお、本発明は上記した実施形態に限定されるものではなく、その趣旨を逸脱しない限りにおいて、上記したもの以外に種々の変更を行うことが可能であり、例えば、ホッパーベース５の切欠部５ｃは、円形凹部５ｂに達するまで切欠かれていなくてもよい。
【００３５】
また、誘導部は、上記したガイドピン１０に限定されるものでなく、ディスク６の回転により円形凹部５ｂの底面５ｂ１上を移動する嵌挿孔６ａ内のメダルＭを切欠部５ｃ側に誘導し得る構成であれば、どのようなものであってもよい。
【００３６】
また、本発明は、スロットマシンに限らず、メダルが用いられる種々の遊技機に適用することができる。
【符号の説明】
【００３７】
１…メダル払出装置、３…ホッパータンク、５…ホッパーベース、５ａ…ベース部、５ｂ…円形凹部、５ｂ１…底面、５ｃ…切欠部、６…ディスク、６ａ…嵌挿孔、７…ガイド部、７ａ…取付板、７ｂ…第１アース板（アース板）、７ｃ…第２アース板、７ｄ…リード板、９…ガイド通路、９ａ…通路面、１０…ガイドピン（誘導部）、１１…メダルキッカ、Ｍ…メダル
【要約】
【課題】帯電したメダルを確実に除電することができるとともに、部品の交換・調整作業を容易に行うことができるメダル払出装置を提供する。
【解決手段】メダル払出装置１は、メダルが嵌挿される複数の嵌挿孔６ａが形成されたディスク６と、その周縁の一部が切欠かれて形成された切欠部５ｃを有するホッパーベース５と、切欠部５ｃに着脱自在に装着されて、メダルを遊技機の払出口に向けてガイドするガイド通路９を形成する導電部材からなるガイド部７と、ディスク６の嵌挿孔６ａ内のメダルをホッパーベース５の切欠部５ｃ側に誘導するガイドピン１０と、ガイドピン１０により誘導されるメダルを遊技機の払出口に向けて弾き出すメダルキッカ１１とを備え、メダルキッカ１１がガイド部７に組み込まれるとともに、ガイドピン１０がガイド部７に設けられ、ガイド部７、ガイドピン１０およびメダルキッカ１１がユニット化されている。
【選択図】図１【図１】
0005582513.tif 000002
【図２】
0005582513.tif 000003
【図３】
0005582513.tif 000004
【図４】
0005582513.tif 000005
【図５】
0005582513.tif 000006
【図６】
0005582513.tif 000007
【図７】
0005582513.tif 000008